(57)【要約】      （修正有）【課題】下面側の突出部分を有する景品等を確実に、安定状態で収納できる飲料用缶に用いる収納容器を提供する。【課題の解決手段】収納容器は、四側壁１１ａ，１１ｂ，１１ｃ，１１ｄを有し、天面が閉塞され底面が開放されてなる景品等の収納用空間を形成する本体２を有し、四側壁１１ａ，１１ｂ，１１ｃ，１１ｄの下端には、外側に突出する鍔部１３と、この鍔部１３の外周から下に向けて延出した取付壁１４とを一体的に設け、取付壁１４の内面には、飲料用缶の上端に着脱可能に装着するための突縁１５ａ，１５ｂと係止突起１６ａ，１６ｂからなる取付部を設ける。また、下方に向けてへこむ凹部３２ａ，３２ｂを有して景品等５を載置する載置板３と、取付部に係止される支持板４とからなる中蓋を、本体２の開放底面を閉塞するよう配置してなる。【選択図】図１
0003183097.tif 000002
【実用新案登録請求の範囲】
【請求項１】
四側壁を有し、天面が閉塞され底面が開放されてなる景品等の収納用空間を形成する本体を有し、前記四側壁の下端には、外側に突出する鍔部と、この鍔部の外周から下に向けて延出した取付壁とを一体的に設け、前記取付壁の内面には、飲料用缶の上端に着脱可能に装着するための取付部を設ける一方、下方に向けてへこむ凹部を有して景品等を載置するとともに、前記取付部に係止されて前記本体の開放底面を閉塞する中蓋を備えてなることを特徴とする飲料用缶に用いる景品等の収納容器。
【請求項２】
取付部を、鍔部と間隔を置いて設けた飲料用缶の上端外周に当接する突縁と、飲料用缶の上縁リブに系脱可能に係止する係止突起とから構成し、中蓋を、凹部を有して景品等を載置する載置板と、この載置板を支持して前記突縁と段部との間で保持される支持板とから構成し、この支持板には前記載置板の凹部に対応して切欠部を設けてなることを特徴とする請求項１記載の飲料用缶に用いる景品等の収納容器。
【考案の詳細な説明】
【技術分野】
【０００１】
本考案は、飲料用缶、例えば、上下両面が閉塞されたほぼ円筒状のコーヒーや紅茶等の飲料用缶における上下両面の一方縁部に脱着可能に装着する景品等の収納容器に関し、特に二つの飲料用缶に装着する景品等の収納容器に関する。
【背景技術】
【０００２】
従来から、販売促進のために飲料用缶に景品等を付けて販売することが行なわれているが、最近の景品等は自動車おもちゃや電車おもちゃのようにサイズの大きなものが増えている。これに対応して、大きな収容空間を確保するため、二つの飲料用缶に装着する収納容器が使用されている。
【０００３】
ところで、一般的な飲料用缶は有底円筒状で、閉塞された上面にプルトップ式の開蓋機構が設けられ、上面の周縁には全周にわたる上縁リブを有し、上縁リブの下側に沿って窪み部が形成されている。一方、従来の景品等の収納容器は、景品等を収納する天面と側面が閉塞された本体と、この本体下端部に一体的に設けた取付部を有し、取付部には、前記飲料用缶の前記上縁リブと嵌合する複数の突起片を設けているのが一般的である。そして、より大きな収納空間を確保すべく本体を直方体状に形成することも提案されている（特許文献１参照）。
【先行技術文献】
【特許文献】
【０００４】
【特許文献１】実用新案登録第３１６７２４８号公報
【考案の概要】
【考案が解決しようとする課題】
【０００５】
しかし、従来の景品等の収納容器は、景品等が自動車おもちゃや電車おもちゃのように車輪が下面側に突出する場合は、高さ方向の収納空間を十分に確保できず、また、景品等が車輪の作用で収納容器内を移動するので安定した状態で収納できず、最悪の場合は景品等が破損してしまうという問題があった。
本考案は、この問題を解決した二つの飲料用缶に装着する景品等の収納容器を提供することを目的とする。
【課題を解決するための手段】
【０００６】
この目的を達成するため本考案に係る飲料用缶に用いる景品等の収納容器は、四側壁を有し、天面が閉塞され底面が開放されてなる景品等の収納用空間を形成する本体を有し、前記四側壁の下端には、外側に突出する鍔部と、この鍔部の外周から下に向けて延出した取付壁とを一体的に設け、前記取付壁の内面には、飲料用缶の上端に着脱可能に装着するための取付部を設ける一方、下方に向けてへこむ凹部を有して景品等を載置するとともに、前記取付部に係止されて前記本体の開放底面を閉塞する中蓋を備えてなるものである。
【０００７】
取付部を、鍔部と間隔を置いて設けた飲料用缶の上端外周に当接する突縁と、飲料用缶の上縁リブに系脱可能に係止する係止突起とから構成し、中蓋を、凹部を有して景品等を載置する載置板と、この載置板を支持して前記突縁と段部との間で保持される支持板とから構成し、この支持板には前記載置板の凹部に対応して切欠部を設けると好適である。
【考案の効果】
【０００８】
本考案に係る飲料用缶に用いる景品等の収納容器によれば、景品等の収納用空間を形成する本体内に、景品等を、下方に向けてへこむ凹部を形成した中蓋に、景品等の下面側の突出部分を凹部に対応させて載置して、中蓋で開放底面を閉塞した状態で収納するので、自動車おもちゃや電車おもちゃのように下面側の突出部分を有する景品等を収納する十分な高さを確保して確実に収納できるとともに、安定した状態で収納できる。
【図面の簡単な説明】
【０００９】
【図１】本考案の一実施形態を示す分解斜視図。
【図２】同じく景品等の収納状態を示す斜視図。
【図３】同じく二つの飲料用缶に装着した状態を示す斜視図。
【考案を実施するための形態】
【００１０】
以下、本考案の好適な一実施形態を添付図面に基づいて詳細に説明する。
図１及び図２に示すように、収納容器１は合成樹脂製で、本体２と、載置板３と、支持板４とからなり、前記載置板３と前記支持板４によって中蓋を構成する。図１に示すように、本実施形態は自動車おもちゃ５を収納するものであり、この自動車おもちゃ５は、下面側の突出部分である四つの車輪５１ａ，５１ｂ，５１ｃ，５１ｄを有している。
【００１１】
図１〜図３に示すように、本体２は、四つの側壁１１ａ，１１ｂ，１１ｃ，１１ｄを有し、天面は天板１２で閉塞され、底面は開放されて、自動車おもちゃ５の収納用空間を形成する。この本体２の前記側壁１１ａ，１１ｂ，１１ｃ，１１ｄの下端には、外側に突出する鍔部１３と、この鍔部１３の外周から下に向けて延出した取付壁１４とを一体的に設けている。
【００１２】
図１及び図２に示すように、取付壁１４の内面には、鍔部１３と間隔を置いて、飲料用缶６の上端外周に当接する長手方向両端がアール状に面取りされた一対の突縁１５ａ，１５ｂを設け、また、飲料用缶６の上縁リブ６１に系脱可能に係止する一対の係止突起１６ａ，１６ｂをスリット１７ａ，１７ｂ，１７ｃ，１７ｄの間に設けている。前記一対の係止突起１６ａ，１６ｂは、各スリット１７ａ，１７ｂ，１７ｃ，１７ｄの作用で、互いの接離方向への変位が円滑になされる。前記一対の突縁１５ａ，１５ｂと前記一対の係止突起１６ａ，１６ｂによって、飲料用缶６の上端に着脱可能に装着するための取付部を構成する。
【００１３】
載置板３は、本体２の開放底面を閉塞するもので、上方に突出する周縁３１を有し、この周縁３１が前記本体２の内周面と当接するよう配置され、また、下方に向けてへこむ一対の凹部３２ａ，３２ｂを設けている。これら凹部３２ａ，３２ｂに車輪５１ａ，５１ｂ，５１ｃ，５１ｄが対応位置するよう自動車おもちゃ５を載置するものである。
【００１４】
一方、支持板４は、載置板３を支持して突縁１５ａ，１５ｂと鍔部１３との間に挟持状態で保持されるもので、一対の凹部３２ａ，３２ｂに対応位置する一対の切欠部４１ａ，４１ｂを設け、これら切欠部４１ａ，４１ｂから前記凹部３２ａ，３２ｂが下方に突出するよう構成している。
【００１５】
本実施形態は以上のように構成したので、載置板３の凹部３２ａ，３２ｂに自動車おもちゃ５の車輪５１ａ，５１ｂ，５１ｃ，５１ｄを対応させて、載置板３に自動車おもちゃ５を載置し、上方から本体２を被せて、本体２下端部と載置板３の周縁３１が対応位置するようになし、次いで、支持板４の切欠部４１ａ，４１ｂから凹部３２ａ，３２ｂが突出する状態にして、支持板４の両側端縁を突縁１５ａ，１５ｂの上面と鍔部１３の下面によって挟持することで、自動車おもちゃ５を本体２内に収納することができる。
【００１６】
この状態で収納容器１を、二本の飲料用缶６の上方から開放底面を下にして押し込むと、各係止突起１６ａ，１６ｂが飲料用缶６，６の上縁リブを乗り越えて窪み部に嵌合するとともに、各突縁１５ａ，１５ｂのアール状端面に当接して、安定状態で確実に飲料用缶６，６の上縁部に係止することができる（図２及び図３参照）。一方、収納容器１を飲料用缶６，６から脱却するには、上方へ引き抜けばよいものである。収納容器１は、合成樹脂製で弾性を有し、各係止突起１６ａ，１６ｂはスリット１７ａ，１７ｂ，１７ｃ，１７ｄの作用で、互いの接離方向に容易に変位するので、この引き抜き動作は容易になされる。
【００１７】
なお、本考案は上述の実施形態に限定されるものではなく、例えば、支持板４を設けずに、載置板３だけで中蓋を構成し、載置板３の側部に、突縁１５ａ，１５ｂの上面と鍔部１３の下面によって挟持するための支持縁と、係止突起１６ａ、１６ｂに係止するための支持縁を突出形成してもよい。
【符号の説明】
【００１８】
１      収納容器
２      本体
３      載置板
４      支持板
５      自動車おもちゃ
６ａ，６ｂ      飲料用缶
１１ａ，１１ｂ，１１ｃ，１１ｄ      側壁
１２      天板
１３      鍔部
１４      取付壁
１５ａ，１５ｂ      突縁
１６ａ，１６ｂ      係止突起
１７ａ，１７ｂ，１７ｃ，１７ｄ      スリット
３１      周縁
３２ａ，３２ｂ      凹部
４１ａ，４１ｂ      切欠部
【図１】
0003183097.tif 000003
【図２】
0003183097.tif 000004
【図３】
0003183097.tif 000005